(57)【特許請求の範囲】
【請求項１】
１個の親ノードと複数の子ノードが光ファイバ伝送路を介して接続され、
前記親ノードが、複数の光送受信器を備え、
前記親ノードと前記複数の子ノードとの間に、前記光送受信器からの下り信号光を波長に応じて異なる光ファイバ伝送路側端子から出力して前記光ファイバ伝送路に結合し、前記光ファイバ伝送路側端子から入力された前記光ファイバ伝送路からの上り信号光を光送受信器側端子から出力して前記光送受信器に結合する波長ルーティング手段が挿入され、
前記子ノードが、前記波長ルーティング手段の複数の光ファイバ伝送路側端子のうちの１つと光ファイバ伝送路を介して接続されている光通信システムにおけるディスカバリ方法であって、
前記親ノードから前記複数の子ノードへ向けて、前記親ノードに未登録の子ノードを探索するための探索信号を送信する探索信号送信手順と、
前記親ノードに未登録である前記子ノードから前記親ノードへ、前記親ノードから送信された探索信号に応答する応答信号を、当該子ノードの識別情報及び当該応答信号の波長の識別情報を含めて送信する応答信号送信手順と、
前記親ノードが、前記応答信号の波長の識別情報と前記応答信号が出力される前記光送受信器側端子との組み合わせを、前記波長ルーティング手段の入出力特性と照らし合わせて、前記応答信号の送信元である前記子ノードが接続する前記光ファイバ伝送路側端子を特定することによって、前記子ノードが前記複数の光ファイバ伝送路側端子のうちのいずれと前記光ファイバ伝送路を介して接続しているかを特定する光ファイバ伝送路特定手順と、
を順に有するディスカバリ方法。
【請求項２】
前記探索信号送信手順における前記探索信号は、前記応答信号の波長の識別情報を含み、
前記応答信号送信手順において、前記子ノードは、前記探索信号に含まれていた前記応答信号の波長の識別情報を用いて前記応答信号の波長を決定し、決定した波長の上り信号光を用いて前記応答信号を前記親ノードへ送信することを特徴とする請求項１に記載のディスカバリ方法。
【請求項３】
前記子ノードは、受信する下り信号光の波長と送信する上り信号光の波長との組み合わせテーブルを保持し、
前記探索信号送信手順における前記探索信号は、前記探索信号の波長の識別情報を含み、
前記応答信号送信手順において、前記子ノードは、前記組み合わせテーブルを参照して、前記探索信号の波長に応じた前記応答信号の波長を決定し、決定した波長の上り信号光を用いて前記応答信号を前記親ノードへ送信することを特徴とする請求項１に記載のディスカバリ方法。
【請求項４】
前記応答信号送信手順において、前記子ノードは、前記探索信号にて通知された送信許容時間内に前記応答信号を送信し、
前記送信許容時間は、異なる前記光ファイバ伝送路側端子と前記光ファイバ伝送路を介して接続する前記子ノードから送信される前記応答信号の前記親ノードへの到着時間が異なるように前記親ノードにて決定され、
前記光ファイバ伝送路特定手順において、前記親ノードは、前記応答信号が到達した時刻により、前記応答信号の送信元である前記子ノードが接続する前記光ファイバ伝送路側端子を特定することを特徴とする請求項１から３のいずれかに記載のディスカバリ方法。
【請求項５】
１個の親ノードと複数の子ノードが光ファイバ伝送路を介して接続された光通信システムであって、
前記親ノードが、複数の光送受信器を備え、
前記親ノードと前記複数の子ノードとの間に、前記光送受信器からの下り信号光を波長に応じて異なる光ファイバ伝送路側端子から出力して前記光ファイバ伝送路に結合し、前記光ファイバ伝送路側端子から入力された前記光ファイバ伝送路からの上り信号光を光送受信器側端子から出力して前記光送受信器に結合する波長ルーティング手段が挿入され、
前記子ノードが、前記波長ルーティング手段の複数の光ファイバ伝送路側端子のうちの１つと光ファイバ伝送路を介して接続され、
前記親ノードは、前記複数の子ノードへ向けて、前記親ノードに未登録の子ノードを探索するための探索信号を送信し、
前記子ノードは、前記親ノードに未登録である場合、前記親ノードから送信された探索信号に応答する応答信号を、当該子ノードの識別情報及び当該応答信号の波長の識別情報を含めて送信し、
前記親ノードは、前記応答信号の波長の識別情報と前記応答信号が出力される前記光送受信器側端子との組み合わせを、前記波長ルーティング手段の入出力特性と照らし合わせて、前記応答信号の送信元である前記子ノードが接続する前記光ファイバ伝送路側端子を特定することによって、前記子ノードが前記複数の光ファイバ伝送路側端子のうちのいずれと前記光ファイバ伝送路を介して接続しているかを特定する
光通信システム。
【請求項６】
前記子ノードは、前記子ノードが受信することが可能な前記探索信号にて通知された送信許容時間内に前記応答信号を送信し、
前記親ノードは、異なる前記光ファイバ伝送路側端子と前記光ファイバ伝送路を介して接続する前記子ノードから送信される前記応答信号の前記親ノードへの到着時間が異なるように前記送信許容時間決定し、前記応答信号が到達した時刻により、前記応答信号の送信元である前記子ノードが接続する前記光ファイバ伝送路側端子を特定する、
ことを特徴とする請求項５に記載の光通信システム。
【発明の詳細な説明】
【技術分野】
【０００１】
本発明は、波長可変型ＷＤＭ／ＴＤＭ−ＰＯＮにおけるＯＮＵのディスカバリ方法に関する。
【背景技術】
【０００２】
アクセスサービスの高速化に対するニーズの高まりにより、ＦＴＴＨ（Ｆｉｂｅｒ  Ｔｏ  Ｔｈｅ  Ｈｏｍｅ）の普及が世界的に進んでいる。ＦＴＴＨサービスの大部分は、１個の収容局側装置（ＯＳＵ：Ｏｐｔｉｃａｌ  Ｓｕｂｓｃｒｉｂｅｒ  Ｕｎｉｔ）が時分割多重（ＴＤＭ：Ｔｉｍｅ  Ｄｉｖｉｓｉｏｎ  Ｍｕｌｔｉｐｌｅｘｉｎｇ）により複数の加入者側装置（ＯＮＵ：Ｏｐｔｉｃａｌ  Ｎｅｔｗｏｒｋ  Ｕｎｉｔ）を収容し、経済性に優れたＰＯＮ（Ｐａｓｓｉｖｅ  Ｏｐｔｉｃａｌ  Ｎｅｔｗｏｒｋ）方式により提供されている。
【０００３】
ＴＤＭ−ＰＯＮの上り方向通信では、ＯＳＵにおける動的帯域割当計算に基づいてＯＮＵ間でシステム帯域を共有しており、図１に示すように各ＯＮＵ２００がＯＳＵ５１より通知された送信許容時間内のみに間欠的に信号光を送信することにより、信号光同士の衝突を防いでいる。現在の主力システムは伝送速度がギガビット級であるＧＥ−ＰＯＮ（Ｇｉｇａｂｉｔ  Ｅｔｈｅｒｎｅｔ（登録商標）  ＰＯＮ）、Ｇ−ＰＯＮ（Ｇｉｇａｂｉｔ−ｃａｐａｂｌｅ  ＰＯＮ）であるが、映像配信サービスの進展に加え、大容量ファイルをアップロード／ダウンロードするアプリケーションの登場などにより、ＰＯＮシステム２５０の更なる大容量化が求められている。しかしながら、ＴＤＭ−ＰＯＮでは、ラインレートの高速化によりシステム帯域を拡張するため、高速化や波長分散の影響により受信特性が大幅に劣化することに加え、バースト送受信器の経済性が課題となるため、１０ギガを超える大容量化は難しい。
【０００４】
１０ギガ超の大容量化に向けて、波長分割多重（ＷＤＭ：Ｗａｖｅｌｅｎｇｔｈ  Ｄｉｖｉｓｉｏｎ  Ｍｕｌｔｉｐｌｅｘｉｎｇ）技術の適用が検討されている。図２は、ＴＤＭ−ＰＯＮにＷＤＭ技術を組み合わせたＷＤＭ／ＴＤＭ−ＰＯＮの一例である。各々のＯＮＵ２００は光ファイバ伝送路を介して波長合分波手段のいずれの端子と接続するかに応じて下り波長および上り波長が固定的に割り当てられ、全ＯＮＵ２００間で信号の時間的重なりが、ＯＳＵ５１の数まで許される。そのため、ＯＳＵ５１の増設により、１波長あたりのラインレートを高速化することなく、システム帯域を拡張できる。
【０００５】
波長合分波手段の端子のうち同一の端子と光ファイバ伝送路を介して接続する各ＯＮＵ２００は、同一のＯＳＵ５１と論理的に接続し、上り帯域および下り帯域を共有する。ここで、各ＯＮＵ２００とＯＳＵ５１との論理接続は不変であり、異なるＯＳＵ５１と論理接続するＯＮＵ２００間で帯域を共有することはできず帯域公平性は確保されない。
【０００６】
これに対して、非特許文献１では、ＯＬＴ（Ｏｐｔｉｃａｌ  Ｌｉｎｅ  Ｔｅｒｍｉｎａｌ）内のＯＳＵ５１およびＯＮＵ２００の光送信器に波長可変機能を備えた波長可変型ＷＤＭ／ＴＤＭ−ＰＯＮが提案されている。図３に、非特許文献１の提案する波長可変型ＷＤＭ／ＴＤＭ−ＰＯＮを示す。ＯＳＵ５１とＯＮＵ２００との間には、光送受信器側端子＃１〜＃Ｍ（Ｍは２以上の整数）および光ファイバ伝送路側端子＃１〜＃Ｎ（Ｎは２以上の整数）を有し、入力光を波長に応じて決定される１個の端子から出力する波長振り分け機能を備えた波長ルーティング手段２５２が配置されている。波長ルーティング手段２５２の光送受信器側端子＃１〜＃ＭはＯＳＵ＃１〜＃Ｍと一対一に接続されている。
【０００７】
波長ルーティング手段２５２としては、波長周回性を有し入出力特性が図４（ａ）及び図４（ｂ）で表わされるＮ×Ｍアレイ導波路型回折格子（ＡＷＧ：Ａｒｒａｙｅｄ  Ｗａｖｅｇｕｉｄｅ  Ｇｒａｔｉｎｇ）などがこれにあたる。この構成では、ＯＮＵ２００への割当波長の変更によりＯＮＵ２００単位で論理接続するＯＳＵ５１を変更することができるため、全てのＯＮＵ２００間でシステム帯域を共有することができる。よって、ＯＬＴ１００における動的帯域割当計算に基づいて決定された論理接続先のＯＳＵ５１宛に、各ＯＮＵ２００内の波長可変バースト送信器が、通知された送信波長で、同じく通知された送信許容時間内に間欠的に信号光を送信することで、上り方向通信において全てのＯＮＵ２００間での帯域公平性を確保することができる。
【０００８】
図３のようにＯＳＵ５１とＯＮＵ２００との間に波長ルーティング手段２５２が配置された波長可変型ＷＤＭ／ＴＤＭ−ＰＯＮ構成では、ＯＳＵ５１内の波長可変光送信器１８は、入力される下りフレームの宛先であるＯＮＵ２００が光ファイバ伝送路を介して波長ルーティング手段２５２のいずれの光ファイバ伝送路側端子と接続しているかに応じてフレーム単位で出力光波長を切り替える必要がある。例えば、波長ルーティング手段２５２が図４（ａ）及び図４（ｂ）のような入出力特性を有する場合、光送受信器側端子＃１と接続するＯＳＵ＃１内の波長可変光送信器１８へ、光ファイバ伝送路を介してそれぞれ光ファイバ伝送路側端子＃ｎ（ｎ＝１，２，・・・，Ｎ），＃ｎ’（ｎ’＝１，２，・・・，Ｎ）と接続するＯＮＵ＃ｎ−ｋ（ｋ＝１，２，・・・，Ｋ），＃ｎ’−ｋ’（ｋ’＝１，２，・・・，Ｋ）宛の下りフレームが連続して入力された場合、ＯＳＵ＃１内の波長可変光送信器１８は出力光波長をλＤ＿ｎ，λＤ＿ｎ’の順に切り替える。
【０００９】
ＯＬＴ１００は、ＯＳＵ５１に入力された下りフレームの宛先をフレームごとに読み取り、ＯＮＵ２００と下り波長の対応テーブルを参照することで下り波長を決定し、波長可変光送信器１８の出力光波長を決定した下り波長に切り替えることにより、フレーム単位での波長切替を実現することができる。ここで、各ＯＳＵ５１は波長ルーティング手段２５２の光送受信器側端子と一対一に接続しており、同一のＯＮＵ２００宛の下りフレームをＯＳＵ５１ごとに相異なる波長で送信することが要求されるため、ＯＬＴ１００側では各々のＯＮＵ２００について対応する下り波長をＯＳＵ５１ごとに記憶している必要がある。
【００１０】
一方、上り方向通信においては、各々のＯＮＵ２００が各ＯＳＵ５１と論理接続する際の上り波長の対応テーブルを参照することにより、動的帯域割当計算に基づいて決定された論理接続先のＯＳＵ宛に波長ルーティング手段２５２を介して上り信号光を伝送可能な上り波長を、各ＯＮＵ２００へ通知することが可能となる。
【００１１】
以上より、図５で表わされるような各々のＯＮＵ２００が各ＯＳＵ５１と論理接続する際の下り信号光及び上り信号光の波長対応テーブルをＯＬＴ１００側で保持している必要がある。
【先行技術文献】
【非特許文献】
【００１２】
【非特許文献１】Ｈ．  Ｎａｋａｍｕｒａ，ｅｔ  ａｌ．，  “４０Ｇｂｉｔ／ｓ−ｃｌａｓｓ−λ−ｔｕｎａｂｌｅ  ＷＤＭ／ＴＤＭ−ＰＯＮ  ｕｓｉｎｇ  Ｔｕｎａｂｌｅ  Ｂ−Ｔｘ  ａｎｄ  Ｃｙｃｌｉｃ  ＡＷＧ  Ｒｏｕｔｅｒ  ｆｏｒ  Ｆｌｅｘｉｂｌｅ  Ｐｈｏｔｏｎｉｃ  Ａｇｇｒｅｇａｔｉｏｎ  Ｎｅｔｗｏｒｋｓ，”  ＥＣＯＣ２０１２，  Ｔｕ．４．Ｂ．３，  ２０１２
【発明の概要】
【発明が解決しようとする課題】
【００１３】
波長対応テーブルを作成するためには、未登録であるＯＮＵ２００をＯＬＴ１００に登録するディスカバリプロセスを通じて、当該ＯＮＵ２００が光ファイバ伝送路を介して波長ルーティング手段２５２のいずれの光ファイバ伝送路側端子と接続しているかをＯＬＴ１００側で認識する必要がある。しかしながら、ＯＮＵ２００は自らがいずれの光ファイバ伝送路側端子と接続しているかを認識できないため、接続する光ファイバ伝送路側端子をＯＮＵ２００側から申告することはできない。そのため、ディスカバリプロセスにおいてＯＬＴ１００側より送信する探索信号と、探索信号に応えて未登録のＯＮＵ２００が返信する応答信号の送受信を通じて、当該ＯＮＵ２００が光ファイバ伝送路を介して波長ルーティング手段２５２のいずれの光ファイバ伝送路側端子と接続しているかをＯＬＴ１００側で自律的に認識する方法が必要となる。
【００１４】
ＷＤＭ／ＴＤＭ−ＰＯＮを用いた光アクセスネットワークにおいては、各ＯＳＵ５１がＯＮＵ２００と通信を行う際に、通信を行うための波長を割り当てる必要がある。しかしながら、ＯＮＵ２００が最初に接続されたとき、ＯＬＴ１００側で波長ルーティング手段２５２の下部のＯＮＵ２００の接続箇所を特定することができないという課題があった。
【００１５】
そこで、本発明は、ＷＤＭ／ＴＤＭ−ＰＯＮを用いた光アクセスネットワークにおいて、ＯＮＵが最初に接続されたとき、ＯＬＴ側でＯＮＵの接続位置を特定可能とすることを目的とする。
【課題を解決するための手段】
【００１６】
本願発明は、ＯＳＵ側でＯＮＵの探索信号を送信した際に、ＯＮＵが返信する応答信号にＯＮＵ識別情報を埋め込ませることを特徴とする。
【００１７】
具体的には、本発明に係るディスカバリ方法は、
１個の親ノードと複数の子ノードが光ファイバ伝送路を介して接続され、
前記親ノードが、複数の光送受信器を備え、
前記親ノードと前記複数の子ノードとの間に、前記光送受信器からの下り信号光を波長に応じて異なる光ファイバ伝送路側端子から出力して前記光ファイバ伝送路に結合し、前記光ファイバ伝送路側端子から入力された前記光ファイバ伝送路からの上り信号光を光送受信器側端子から出力して前記光送受信器に結合する波長ルーティング手段が挿入され、
前記子ノードが、前記波長ルーティング手段の複数の光ファイバ伝送路側端子のうちの１つと光ファイバ伝送路を介して接続されている光通信システムにおけるディスカバリ方法であって、
前記親ノードから前記複数の子ノードへ向けて、前記親ノードに未登録の子ノードを探索するための探索信号を送信する探索信号送信手順と、
前記親ノードに未登録である前記子ノードから前記親ノードへ、前記親ノードから送信された探索信号に応答する応答信号を、当該子ノードの識別情報及び当該応答信号の波長の識別情報を含めて送信する応答信号送信手順と、
前記親ノードが、前記応答信号の波長の識別情報と前記応答信号が出力される前記光送受信器側端子との組み合わせを、前記波長ルーティング手段の入出力特性と照らし合わせて、前記応答信号の送信元である前記子ノードが接続する前記光ファイバ伝送路側端子を特定することによって、前記子ノードが前記複数の光ファイバ伝送路側端子のうちのいずれと前記光ファイバ伝送路を介して接続しているかを特定する光ファイバ伝送路特定手順と、
を順に有する。
【００１９】
本発明に係るディスカバリ方法では、
前記探索信号送信手順における前記探索信号は、前記応答信号の波長の識別情報を含み、
前記応答信号送信手順において、前記子ノードは、前記探索信号に含まれていた前記応答信号の波長の識別情報を用いて前記応答信号の波長を決定し、決定した波長の上り信号光を用いて前記応答信号を前記親ノードへ送信してもよい。
【００２０】
本発明に係るディスカバリ方法では、
前記子ノードは、受信する下り信号光の波長と送信する上り信号光の波長との組み合わせテーブルを保持し、
前記探索信号送信手順における前記探索信号は、前記探索信号の波長の識別情報を含み、
前記応答信号送信手順において、前記子ノードは、前記組み合わせテーブルを参照して、前記探索信号の波長に応じた前記応答信号の波長を決定し、決定した波長の上り信号光を用いて前記応答信号を前記親ノードへ送信してもよい。
【００２１】
本発明に係るディスカバリ方法では、
前記応答信号送信手順において、前記子ノードは、前記探索信号にて通知された送信許容時間内に前記応答信号を送信し、
前記送信許容時間は、異なる前記光ファイバ伝送路側端子と前記光ファイバ伝送路を介して接続する前記子ノードから送信される前記応答信号の前記親ノードへの到着時間が異なるように前記親ノードにて決定され、
前記光ファイバ伝送路特定手順において、前記親ノードは、前記応答信号が到達した時刻により、前記応答信号の送信元である前記子ノードが接続する前記光ファイバ伝送路側端子を特定してもよい。
【００２２】
具体的には、本発明に係る光通信システムは、
１個の親ノードと複数の子ノードが光ファイバ伝送路を介して接続された光通信システムであって、
前記親ノードが、複数の光送受信器を備え、
前記親ノードと前記複数の子ノードとの間に、前記光送受信器からの下り信号光を波長に応じて異なる光ファイバ伝送路側端子から出力して前記光ファイバ伝送路に結合し、前記光ファイバ伝送路側端子から入力された前記光ファイバ伝送路からの上り信号光を光送受信器側端子から出力して前記光送受信器に結合する波長ルーティング手段が挿入され、
前記子ノードが、前記波長ルーティング手段の複数の光ファイバ伝送路側端子のうちの１つと光ファイバ伝送路を介して接続され、
前記親ノードは、前記複数の子ノードへ向けて、前記親ノードに未登録の子ノードを探索するための探索信号を送信し、
前記子ノードは、前記親ノードに未登録である場合、前記親ノードから送信された探索信号に応答する応答信号を、当該子ノードの識別情報及び当該応答信号の波長の識別情報を含めて送信し、
前記親ノードは、前記応答信号の波長の識別情報と前記応答信号が出力される前記光送受信器側端子との組み合わせを、前記波長ルーティング手段の入出力特性と照らし合わせて、前記応答信号の送信元である前記子ノードが接続する前記光ファイバ伝送路側端子を特定することによって、前記子ノードが前記複数の光ファイバ伝送路側端子のうちのいずれと前記光ファイバ伝送路を介して接続しているかを特定する。
【００２４】
本発明に係る光通信システムでは、
前記子ノードは、前記子ノードが受信することが可能な前記探索信号にて通知された送信許容時間内に前記応答信号を送信し、
前記親ノードは、異なる前記光ファイバ伝送路側端子と前記光ファイバ伝送路を介して接続する前記子ノードから送信される前記応答信号の前記親ノードへの到着時間が異なるように前記送信許容時間決定し、前記応答信号が到達した時刻により、前記応答信号の送信元である前記子ノードが接続する前記光ファイバ伝送路側端子を特定してもよい。
【００２５】
なお、上記各発明は、可能な限り組み合わせることができる。
【発明の効果】
【００２６】
本発明によれば、ＷＤＭ／ＴＤＭ−ＰＯＮを用いた光アクセスネットワークにおいて、ＯＮＵが最初に接続されたとき、ＯＬＴ側でＯＮＵの接続位置を特定できる。
【図面の簡単な説明】
【００２７】
【図１】ＴＤＭ−ＰＯＮの構成例である。
【図２】ＴＤＭ−ＰＯＮにＷＤＭ技術を組み合わせたＷＤＭ／ＴＤＭ−ＰＯＮの一例である。
【図３】波長可変型ＷＤＭ／ＴＤＭ−ＰＯＮの第１の構成例である。
【図４（ａ）】波長ルーティング手段の下り波長の入出力特性の一例を示す。
【図４（ｂ）】波長ルーティング手段の上り波長の入出力特性の一例を示す。
【図５】下り信号光及び上り信号光の波長対応テーブルの一例を示す。
【図６】波長可変型ＷＤＭ／ＴＤＭ−ＰＯＮの第２の構成例である。
【図７】波長可変型ＷＤＭ／ＴＤＭ−ＰＯＮの第３の構成例である。
【図８】波長可変型ＷＤＭ／ＴＤＭ−ＰＯＮの第４の構成例である。
【図９（ａ）】検索信号の送信タイミングの第１例を示す。
【図９（ｂ）】検索信号の送信タイミングの第２例を示す。
【図１０（ａ）】応答信号の受診タイミングの第１例を示す。
【図１０（ｂ）】応答信号の受診タイミングの第２例を示す。
【発明を実施するための形態】
【００２８】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００２９】
本発明に係る光通信システムは、親ノードである１個のＯＬＴ１００と、子ノードであるＯＮＵ２００と、波長ルーティング手段２５２を備える。ＯＬＴ１００と複数のＯＮＵ２００は、光ファイバ伝送路を介して接続されている。ＯＬＴ１００は、複数のＯＳＵ５１を備える。波長ルーティング手段２５２は、ＯＬＴ１００と複数のＯＮＵ２００との間に挿入されている。
【００３０】
各ＯＮＵ２００は、波長ルーティング手段２５２の複数の光ファイバ伝送路側端子のうちの１つと光ファイバ伝送路を介して接続されている。各ＯＳＵ５１は、波長ルーティング手段２５２の複数の光送受信器側端子のうちの１つと接続されている。波長ルーティング手段２５２は、ＯＳＵ５１からの下り信号光を波長に応じて異なる光ファイバ伝送路側端子から出力して光ファイバ伝送路に結合し、光ファイバ伝送路側端子から入力された光ファイバ伝送路からの上り信号光を光送受信器側端子から出力して光送受信器に結合する。
【００３１】
波長可変型ＷＤＭ／ＴＤＭ−ＰＯＮにおけるＯＮＵ２００のディスカバリ方法は、探索信号送信手順と、応答信号送信手順と、光ファイバ伝送路特定手順と、を順に有する。
探索信号送信手順では、ＯＬＴ１００から複数のＯＮＵ２００へ向けて、ＯＬＴ１００に未登録のＯＮＵ２００を探索するための探索信号を送信する。
応答信号送信手順では、ＯＬＴ１００に未登録であるＯＮＵ２００からＯＬＴ１００へ、ＯＬＴ１００から送信された探索信号に応答する応答信号を、当該ＯＮＵ２００の識別情報を含めて送信する。
光ファイバ伝送路特定手順では、ＯＬＴ１００が、応答信号に載せられたＯＮＵ２００の識別情報を用いて、ＯＬＴ１００に未登録であるＯＮＵ２００が複数の光ファイバ伝送路側端子のうちのいずれと光ファイバ伝送路を介して接続しているかを特定する。
【００３２】
（第１の実施形態）
第１の実施形態は、入力光を波長に応じて決定される１個の端子から出力する波長振り分け機能を備えた波長ルーティング手段２５２がＯＳＵ５１とＯＮＵ２００との間に配置された波長可変型ＷＤＭ／ＴＤＭ―ＰＯＮにおいて、新規に登録するＯＮＵ２００が光ファイバ伝送路を介して波長ルーティング手段２５２のいずれの光ファイバ伝送路側端子と接続しているかをＯＬＴ１００側で自律的に認識することを可能とするディスカバリ方法である。
【００３３】
本実施形態におけるディスカバリ方法を図３の波長可変型ＷＤＭ／ＴＤＭ―ＰＯＮ構成を例に説明する。なお、本実施形態におけるディスカバリ方法を適用する波長可変型ＷＤＭ／ＴＤＭ―ＰＯＮ構成は図３に限らず、図３の波長可変型ＷＤＭ／ＴＤＭ−ＰＯＮにおいてＯＮＵ２００内に波長可変フィルタ２２を備える構成（図６）や、ＡＷＧや薄膜フィルタなどの波長合分波手段１５３と、光ファイバやＰＬＣ（Ｐｌａｎａｒ  Ｌｉｇｈｔｗａｖｅ  Ｃｉｒｃｕｉｔ）により作成された光カプラなどの光合分波手段１５１とを組み合わせた構成（図７）などへの適用も可能である。
【００３４】
図３の波長可変型ＷＤＭ／ＴＤＭ−ＰＯＮでは、下り方向通信用に、各ＯＳＵ５１は、波長λＤ＿１〜λＤ＿Ｎを出力可能な波長可変光送信器１８を備える。各々の波長可変光送信器１８からの下り信号光は、波長ルーティング手段２５２へ、別々の光送受信器側端子を介して入力され、波長に応じて異なる光ファイバ伝送路側端子から光ファイバ伝送路へ出力される。波長可変光送信器１８は、入力される下りフレームの宛先であるＯＮＵ２００が光ファイバ伝送路を介して波長ルーティング手段２５２のいずれの光ファイバ伝送路側端子と接続するかに応じて出力光波長を変化させる。
【００３５】
波長可変光送信器１８には、フレーム単位での出力波長の切替を実現する高速な波長可変性が要求され、例えば、出力光波長の異なる直接変調レーザをアレイ状に配置し、バイアス電流のスイッチングにより発光するレーザを切り替える構成がこれにあたる。また、分布ブラッグ反射型（ＤＢＲ：Ｄｉｓｔｒｉｂｕｔｅｄ  Ｂｒａｇｇ  Ｇｒａｔｉｎｇ）レーザや外部共振器型レーザなどの波長可変光源からの連続光を、半導体や二オブ酸リチウム（ＬｉＮｂＯ３）を材料とするマッハツェンダー型変調器、電界吸収型（ＥＡ：Ｅｌｅｃｔｒｏａｂｓｏｒｐｔｉｏｎ）変調器、半導体光増幅器（ＳＯＡ：Ｓｅｍｉｃｏｎｄｕｃｔｏｒ  Ｏｐｔｉｃａｌ  Ａｍｐｌｉｆｉｅｒ）変調器などを用いて外部変調する構成も可能である。
【００３６】
ＯＮＵ２００は、波長ルーティング手段２５２の光ファイバ伝送路側端子のうちの１つと光ファイバ伝送路を介して接続され、光ファイバ伝送路側端子から出力される下り信号光を光受信器２９を用いて受信する。光受信器２９としては、ＰＩＮ−ＰＤ（Ｐｈｏｔｏ−Ｄｉｏｄｅ）やＡＰＤ（Ａｖａｌａｎｃｈｅ  Ｐｈｏｔｏ−Ｄｉｏｄｅ）などがこれにあたる。各ＯＮＵ２００は、ＬＬＩＤ（Ｌｏｇｉｃａｌ  Ｌｉｎｋ  ＩＤ）等のＯＮＵ識別子を用いて、受信したフレームが自分宛であるかを判断し、受信フレームの取捨選択を行う。
【００３７】
一方、上り方向通信用に、ＯＮＵ２００は、波長λＵ＿１〜λＵ＿Ｎを出力可能な波長可変光送信器２４を備え、ＯＬＴ１００から割り当てられている上り波長で、ＯＬＴ１００から通知された送信許容時間内に上り信号光を送信する。ＯＬＴ１００から通知される送信許容時間は、同一のＯＳＵ５１を宛先とする上り信号光同士が衝突しないように、ＯＬＴ１００と各ＯＮＵ２００間でのフレーム往復伝搬時間（ＲＴＴ：Ｒｏｕｎｄ  Ｔｒｉｐ  Ｔｉｍｅ）を考慮して決定される。波長可変光送信器２４としては、ＯＳＵ５１内の波長可変光送信器１８と同様の構成を用いることができる。また、高速な波長可変性が要求されない場合は、分布帰還型（ＤＦＢ：Ｄｉｓｔｒｉｂｕｔｅｄ  Ｆｅｅｄｂａｃｋ）レーザなどの直接変調レーザの出力光波長を温度制御により変化させる構成も可能である。
【００３８】
光ファイバ伝送路を伝送された上り信号光は、波長ルーティング手段２５２にて波長に応じて振り分けられ、光送受信器側端子を通じてＯＳＵ５１に入力される。ここで、各ＯＮＵ２００が自分に付与されたＬＬＩＤ等のＯＮＵ識別子を送信フレーム内に含む上り信号光を送出することで、ＯＬＴ１００が受信フレーム内のＯＮＵ識別子によりフレームの送信元であるＯＮＵ２００を特定できる。
【００３９】
ＯＮＵ２００内およびＯＳＵ５１内の光受信器として、図８のように、コヒーレント受信器１６及び２７を用いることも可能である。この場合、ＯＮＵ２００内の局発光源２８の出力光波長は、割り当てられている下り信号光の波長近傍に設定される。一方、ＯＳＵ５１内の局発光源１７の出力光波長は、コヒーレント光受信器１６に到着する上り信号光がいずれのＯＮＵ２００から送信されてくるかに応じて変更される。高受信感度を特徴とするコヒーレント受信を適用することで、光ファイバ伝送路中での許容損失を増大できる。光ファイバ伝送路中で許容される伝送損失や分岐損失の増大により、伝送距離の長延化や収容するＯＮＵ数の拡大を図ることができる。
【００４０】
ディスカバリプロセスでは、ＯＬＴ１００は、未登録のＯＮＵ２００に登録要求である応答信号を返信する旨の命令が記載された探索信号が波長ルーティング手段２５２のすべての光ファイバ伝送路側端子から出力されるように、探索信号を送信する。例えば、ＯＬＴ１００内の任意の１つのＯＳＵ＃ｍ（ｍ＝１，２，・・・，Ｍ）内の波長可変光送信器１８が、波長λＤ＿１〜λＤ＿Ｎの探索信号を時間多重して送信する。探索信号は、図９（ａ）のように所定の間隔Δｔ０で各波長の探索信号を集中的に送信しても、図９（ｂ）のように各波長の探索信号を分散して所定の間隔Δｔ０ごとに送信してもよい。
【００４１】
波長λＤ＿１〜λＤ＿Ｎの探索信号は波長ルーティング手段２５２において波長に応じて振り分けられ、各々異なる光ファイバ伝送路側端子から出力される。波長ルーティング手段２５２が図４のような入出力特性を有し、光送受信器側端子＃１と接続するＯＳＵ＃１内の波長可変光送信器１８が探索信号を送信する場合、波長λＤ＿１，λＤ＿２，・・・，λＤ＿Ｎの探索信号は順に光ファイバ伝送路側端子＃１，＃２，・・・，＃Ｎから出力される。このように、すべての光ファイバ伝送路側端子から探索信号が出力されるため、未登録のＯＮＵ２００は、光ファイバ伝送路を介していずれの光ファイバ伝送路側端子と接続するかによらず確実に探索信号を受信できる。ＯＮＵ２００内に波長可変フィルタ２２を備える図６の波長可変型ＷＤＭ／ＴＤＭ−ＰＯＮ構成では、波長可変フィルタ２２の透過波長をλＤ＿１〜λＤ＿Ｎの範囲で周期的に掃引することにより、未登録のＯＮＵ２００が、光ファイバ伝送路を介していずれの光ファイバ伝送路側端子と接続するかによらず確実に探索信号を受信できる。
【００４２】
探索信号には、受信したＯＮＵ２００がＯＬＴ１００に未登録である場合、送信許容時間内に登録要求である応答信号を送信する旨の命令が記載されている。探索信号を受信した未登録であるＯＮＵ２００は、送信許容時間内のランダム時刻に波長λＵ＿ｎ（ｎ＝１，２，・・・，Ｎ）で応答信号を送信するが、その際、応答信号には送信元であるＯＮＵ２００の識別情報に加えて、応答信号の波長の識別情報を記載する。ＯＮＵ２００にて応答信号の波長λＵ＿ｎを決定する方法としては、探索信号によりＯＬＴ１００側からλＵ＿ｎを指定する方法や、ＯＮＵ２００に受信する下り信号光の波長と送信する上り信号光の波長の組み合わせテーブルを保持させ、探索信号内に記載された探索信号の波長の識別情報を組み合わせテーブルと照らし合わせてλＵ＿ｎを決定する方法などがある。
【００４３】
光ファイバ伝送路を伝送された応答信号は、波長ルーティング手段２５２にて波長に応じて振り分けられた後、ＯＳＵ５１内の光受信器１９で受信される。このとき、応答信号には波長識別情報が記載されているため、ＯＬＴ１００では受信した応答信号の送信元ＯＮＵ２００と波長を認識できる。
【００４４】
ここで、認識した応答信号の波長と光受信器１９が含まれるＯＳＵ５１が接続する波長ルーティング手段２５２の光送受信器側端子の番号との組み合わせを、波長ルーティング手段２５２の入出力特性と照らし合わせることにより、波長ルーティング手段２５２へ応答信号が入力された光ファイバ伝送路側端子の番号を特定することが可能である。例えば、波長ルーティング手段２５２が図４のような入出力特性を有し、ＯＳＵ＃１内の光受信器１９で波長λＵ＿１の応答信号を受信した場合、応答信号は光ファイバ伝送路側端子＃１から波長ルーティング手段２５２へ入力されたと特定できる。ＯＳＵ＃１内の光受信器１９で波長λＵ＿Ｎの応答信号を受信した場合は、応答信号は光ファイバ伝送路側端子＃Ｎから波長ルーティング手段２５２へ入力されたと特定できる。よって、上述のような探索信号と応答信号の送受信により、応答信号の送信元であるＯＮＵ２００が、光ファイバ伝送路を介して接続する光ファイバ伝送路側端子をＯＬＴ１００側で自律的に認識することが可能となる。その結果、認識した光ファイバ伝送路側端子の番号を波長ルーティング手段２５２の入出力特性と照らし合わせることで、当該ＯＮＵ２００が各ＯＳＵ５１と論理接続する際の下り／上り波長を決定し、図５のような波長対応テーブルを作成できる。
【００４５】
応答信号を受信する光受信器１９は、探索信号を送信した波長可変光送信器２４が含まれるＯＳＵ５１と同じのＯＳＵ５１内の光受信器１９でも、異なるＯＳＵ５１内の光受信器１９でもよい。例えば、波長ルーティング手段２５２が図４のような入出力特性を有し、光送受信器側端子＃１と接続するＯＳＵ＃１内の波長可変光送信器１８が探索信号を送信する場合、波長λＤ＿１，λＤ＿２，λＤ３，・・・，λＤ＿Ｎの探索信号に記載して指定する応答信号の波長を、順にλＵ＿１，λＵ＿２，λＵ＿３，・・・，λＵ＿Ｎとすると、光ファイバ伝送路を介して波長ルーティング手段２５２の相異なる光ファイバ伝送路側端子と接続するＯＮＵ２００から返信された応答信号が、探索信号を送信した波長可変光送信器１８が含まれるＯＳＵ＃１と同じＯＳＵ＃１内の光受信器１９で受信される。波長λＤ＿１，λＤ＿２，λＤ３，・・・，λＤ＿Ｎの探索信号に記載して指定する応答信号の波長を、順にλＵ＿Ｎ，λＵ＿１，λＵ＿２，・・・，λＵ＿Ｎ−１とすると、光ファイバ伝送路を介して波長ルーティング手段２５２の相異なる光ファイバ伝送路側端子と接続するＯＮＵ２００から返信された応答信号が、探索信号を送信した波長可変光送信器１８が含まれるＯＳＵ＃１と異なるＯＳＵ＃２内の光受信器１９で受信される。また、応答信号の波長は、波長ルーティング手段２５２へ異なる光ファイバ伝送路側端子から入力された応答波長が単一の光受信器１９で受信されるように指定しても、複数の光受信器１９で受信されるように指定してもよい。
【００４６】
本実施形態におけるディスカバリプロセスでは、ＯＬＴ１００側より送信する探索信号と、探索信号に応えて未登録のＯＮＵ２００が返信する応答信号の送受信を通じて、ＯＬＴ１００側で当該ＯＮＵ２００が光ファイバ伝送路を介して波長ルーティング手段２５２のいずれの光ファイバ伝送路側端子と接続しているかを自律的に判断できるため、当該ＯＮＵ２００が各ＯＳＵ１００と論理接続する際の下り／上り波長を決定し、図５のような波長対応テーブルを作成できる。この結果、ＯＳＵ５１に入力された下りフレームの宛先をフレームごとに読み取り、波長対応テーブルを参照することで下り波長を決定し、ＯＳＵ５１内の波長可変光送信器１８の出力波長を決定した下り波長に切り替えることにより、フレーム単位での波長切替を実現できる。更に、波長対応テーブルを参照することにより、動的帯域割当計算に基づいて決定された論理接続先のＯＳＵ５１宛に波長ルーティング手段２５２を介して上り信号光を伝送可能な上り波長を決定し、各ＯＮＵ２００へ通知することが可能となる。
【００４７】
（第２の実施形態）
第２の実施形態は、入力光を波長に応じて決定される１個の端子から出力する波長振り分け機能を備えた波長ルーティング手段２５２がＯＳＵ５１とＯＮＵ２００との間に配置された波長可変型ＷＤＭ／ＴＤＭ―ＰＯＮにおいて、第１の実施形態におけるディスカバリ方法と別の方法にて、新規に登録するＯＮＵ２００が光ファイバ伝送路を介して波長ルーティング手段２５２のいずれの光ファイバ伝送路側端子と接続しているかをＯＬＴ１００側で自律的に認識することを可能とするディスカバリ方法である。
【００４８】
本実施形態におけるディスカバリ方法を図３の波長可変型ＷＤＭ／ＴＤＭ―ＰＯＮ構成を例に説明する。なお、本実施形態におけるディスカバリ方法を適用する波長可変型ＷＤＭ／ＴＤＭ―ＰＯＮ構成は図３に限らず、図３の波長可変型ＷＤＭ／ＴＤＭ−ＰＯＮにおいてＯＮＵ２００内に波長可変フィルタ２２を備える構成（図６）や、ＡＷＧや薄膜フィルタなどの波長合分波手段１５３と、光ファイバやＰＬＣにより作成された光カプラなどの光合分波手段１５１とを組み合わせた構成（図７）などへの適用も可能である。
【００４９】
ディスカバリプロセスでは、ＯＬＴ１００は、未登録のＯＮＵ２００に登録要求である応答信号を返信する旨の命令が記載された探索信号が波長ルーティング手段２５２のすべての光ファイバ伝送路側端子から出力されるように、探索信号を送信する。例えば、ＯＬＴ１００内の任意の１つのＯＳＵ＃ｍ（ｍ＝１，２，・・・，Ｍ）内の波長可変光送信器１８が、波長λＤ＿１〜λＤ＿Ｎの探索信号を時間多重して送信する。波長λＤ＿１〜λＤ＿Ｎの探索信号は波長ルーティング手段２５２において波長に応じて振り分けられ、各々異なる光ファイバ伝送路側端子から出力されるため、未登録のＯＮＵ２００は、光ファイバ伝送路を介していずれの光ファイバ伝送路側端子と接続するかによらず確実に探索信号を受信できる。ＯＮＵ２００内に波長可変フィルタ２２を備える図６の波長可変型ＷＤＭ／ＴＤＭ−ＰＯＮ構成では、波長可変フィルタ２２の透過波長をλＤ＿１〜λＤ＿Ｎの範囲で周期的に掃引することにより、未登録のＯＮＵ２００が、光ファイバ伝送路を介していずれの光ファイバ伝送路側端子と接続するかによらず確実に探索信号を受信できる。
【００５０】
波長λＤ＿ｎ（ｎ＝１，２，・・・，Ｎ）である探索信号には、受信したＯＮＵ２００がＯＬＴ１００に未登録である場合、探索信号を受信した時刻からΔｔｎ後からΔＴｎ以内に登録要求である応答信号を送信する旨の命令が記載されている。探索信号を受信した未登録であるＯＮＵ２００は、送信許容時間内のランダム時刻に波長λＵ＿ｎ’（ｎ’＝１，２，・・・，Ｎ）で応答信号を送信するが、その際、応答信号には送信元であるＯＮＵ２００の識別情報を記載する。ＯＮＵ２００にて応答信号の波長λＵ＿ｎ’を決定する方法としては、探索信号によりＯＬＴ１００側からλＵ＿ｎ’を指定する方法や、ＯＮＵ２００に受信する下り信号光の波長と送信する上り信号光の波長の組み合わせテーブルを保持させ、探索信号内に記載された探索信号の波長の識別情報を組み合わせテーブルと照らし合わせてλＵ＿ｎ’を決定する方法などがある。光ファイバ伝送路を伝送された応答信号は、波長ルーティング手段２５２にて波長に応じて振り分けられた後、ＯＳＵ５１内の光受信器１９で受信される。この時、応答信号には送信元であるＯＮＵ２００の識別情報が記載されているため、ＯＬＴ１００では受信した応答信号の送信元ＯＮＵ２００を特定できる。
【００５１】
ＯＮＵ２００の中で波長ルーティング手段２５２までの距離が最も近いＯＮＵ２００とＯＬＴ１００との間でのＲＴＴをＴＲＴＴ＿ｍｉｎ、波長ルーティング手段２５２までの距離が最も遠いＯＮＵ２００とＯＬＴ１００との間でのＲＴＴをＴＲＴＴ＿ｍａｘとすると、ＯＬＴ１００は、波長λＤ＿ｎである探索信号を送信した時刻からΔｔｎ＋ＴＲＴＴ＿ｍｉｎ〜Δｔｎ＋ΔＴｎ＋ＴＲＴＴ＿ｍａｘとまでの応答信号受信ウィンドウ＃ｎ内に、波長λＵ＿ｎ’である応答信号を受信する。つまり、探索信号内に含めるΔｔｎ，ΔＴｎの値により、応答信号を受信する応答信号受信ウィンドウを設定できる。
【００５２】
探索信号に対する応答信号の送信許容時間を所定の条件を満たすように設定することにより、波長λＤ＿１〜λＤ＿Ｎの探索信号に対する応答信号を受信する応答信号受信ウィンドウ＃１〜＃Ｎ同士が時間的に重ならないようにすることができる。例えば、図１０（ａ）のように時刻Ｔ０から所定の間隔Δｔ０で波長λＤ＿１〜λＤ＿Ｎの探索信号を集中的に送信する場合、波長λＤ＿ｎに対する応答時間を受信する応答信号受信ウィンドウ＃ｎの終了時刻Ｔ０＋（ｎ−１）×Δｔ０＋Δｔｎ＋ΔＴｎ＋ＴＲＴＴ＿ｍａｘが、波長λＤ＿ｎ＋１に対する応答時間を受信する応答信号受信ウィンドウ＃ｎ＋１の開始時刻Ｔ０＋ｎ×Δｔ０＋Δｔｎ＋１＋ＴＲＴＴ＿ｍｉｎよりも前となるように、Δｔｎ，ΔＴｎ，Δｔｎ＋１の値を設定することにより、応答信号受信ウィンドウ＃１〜＃Ｎ同士の時間的な重なりを防ぐことができる。また、図１０（ｂ）のように各波長の探索信号を分散して所定の間隔Δｔ０で送信する場合も、Δｔｎ，ΔＴｎ，Δｔｎ＋１の値を図９（ａ）と同様の条件を満たすように設定することにより、応答信号受信ウィンドウ＃１〜＃Ｎ同士の時間的な重なりを防ぐことができる。この場合、ＯＬＴ１００は応答信号をいつの応答信号受信ウィンドウ内に受信したかにより、いずれの波長の探索信号に対する応答信号であるかを認識できる。更に、前述のように、ＯＬＴ１００では受信した応答信号の送信元ＯＮＵ２００を特定できるため、当該ＯＮＵ２００が受信した探索信号の波長を認識できる。
【００５３】
ここで、認識した探索信号の波長と探索信号を送信した波長可変光送信器１８が含まれるＯＳＵ５１が接続する波長ルーティング手段２５２の光送受信器側端子の番号との組み合わせを、波長ルーティング手段２５２の入出力特性と照らし合わせることにより、波長ルーティング手段２５２から探索信号が出力された光ファイバ伝送路側端子の番号を特定することが可能である。よって、上述のような探索信号と応答信号の送受信により、応答信号の送信元であるＯＮＵ２００が、光ファイバ伝送路を介して接続する光ファイバ伝送路側端子をＯＬＴ１００側で自律的に認識することが可能となる。その結果、認識した光ファイバ伝送路側端子の番号を波長ルーティング手段２５２の入出力特性と照らし合わせることで、当該ＯＮＵ２００が各ＯＳＵ５１と論理接続する際の下り／上り波長を決定し、図５のような波長対応テーブルを作成できる。
【００５４】
第１の実施形態と同様に、応答信号を受信する光受信器１９は、探索信号を送信した波長可変光送信器１８が含まれるＯＳＵ５１と同じのＯＳＵ５１内の光受信器１９でも、異なるＯＳＵ５１内の光受信器１９でもよい。また、応答信号の波長は、波長ルーティング手段２５２へ異なる光ファイバ伝送路側端子から入力された応答波長が単一の光受信器１９で受信されるように指定しても、複数の光受信器１９で受信されるように指定してもよい。
【００５５】
本実施形態におけるディスカバリプロセスでは、ＯＬＴ１００側より送信する探索信号と、探索信号に応えて未登録のＯＮＵ２００が返信する応答信号の送受信を通じて、ＯＬＴ１００側で当該ＯＮＵ２００が光ファイバ伝送路を介して波長ルーティング手段２５２のいずれの光ファイバ伝送路側端子と接続しているかを自律的に判断できるため、当該ＯＮＵ２００が各ＯＳＵ５１と論理接続する際の下り／上り波長を決定し、図５のような波長対応テーブルを作成できる。この結果、ＯＳＵ５１に入力された下りフレームの宛先をフレームごとに読み取り、波長対応テーブルを参照することで下り波長を決定し、ＯＳＵ５１内の波長可変光送信器１８の出力波長を決定した下り波長に切り替えることにより、フレーム単位での波長切替を実現できる。更に、波長対応テーブルを参照することにより、動的帯域割当計算に基づいて決定された論理接続先のＯＳＵ５１宛に波長ルーティング手段２５２を介して上り信号光を伝送可能な上り波長を決定し、各ＯＮＵ２００へ通知することが可能となる。
【産業上の利用可能性】
【００５６】
本発明は情報通信産業に適用することができる。
【符号の説明】
【００５７】
１２：波長合分波手段
１６：コヒーレント受信器
１７：局発光源
１８：波長可変光送信器
１９：光受信器
１９ａ：波長可変光受信器
２１：受光器
２２：波長可変フィルタ
２３：光受信器
２４：波長可変光送信器
２６：波長合分波手段
２７：コヒーレント受信器
２８：局発光源
２９：光受信器
５１：ＯＳＵ
１００：ＯＬＴ
１５１：光合分波部
１５３：波長合分波手段
２００：ＯＮＵ
２５０：ＰＯＮシステム
２５２：波長ルーティング手段
【要約】
【課題】本発明は、ＷＤＭ／ＴＤＭ−ＰＯＮを用いた光アクセスネットワークにおいて、ＯＮＵが最初に接続されたとき、ＯＳＵ側でＯＮＵの接続位置を特定可能とすることを目的とする。
【解決手段】本発明に係るディスカバリ方法は、親ノードと複数の子ノードとの間に波長ルーティング手段が挿入されている光通信システムにおけるディスカバリ方法であって、親ノードから複数の子ノードへ向けて探索信号を送信する探索信号送信手順と、親ノードに未登録である子ノードから親ノードへ、応答信号を、当該子ノードの識別情報を含めて送信する応答信号送信手順と、親ノードが、応答信号の受信により、子ノードが複数の光ファイバ伝送路側端子のうちのいずれと光ファイバ伝送路を介して接続しているかを特定する光ファイバ伝送路特定手順と、を順に有する。
【選択図】図３【図１】
0005492323.tif 000002
【図２】
0005492323.tif 000003
【図３】
0005492323.tif 000004
【図４（ａ）】
0005492323.tif 000005
【図４（ｂ）】
0005492323.tif 000006
【図５】
0005492323.tif 000007
【図６】
0005492323.tif 000008
【図７】
0005492323.tif 000009
【図８】
0005492323.tif 000010
【図９（ａ）】
0005492323.tif 000011
【図９（ｂ）】
0005492323.tif 000012
【図１０（ａ）】
0005492323.tif 000013
【図１０（ｂ）】
0005492323.tif 000014